(57)【要約】      （修正有）【課題】如何なる方向から触れても出水して、小家畜でも飲水できる家畜用給水具ユニットを提供する。【解決手段】中央部に軸方向に流通孔を穿設し、その流通孔の中央部は少し狭くし、上端部の外側と内側には螺子部を螺刻してなる中央筒状部材に、上端部より輪状のゴム又はシリコンゴム製のパッキンを挿入する。トラス頭型ボルトの柄の長い形状の棒状作用部材を流通孔に挿入し、その上から金属製スプリングを入れる。スリーブ状で流通孔を有し外部に螺子部を螺刻した雄螺子部材でスプリングを押さえ、中央筒状部材の下に棒状作用部材の柄の長い部分が出た所に、筒状で流通孔を有し、下部に網状の穴を設けた部材で蓋をした下部筒状部材をかぶせナイロンナットで固定し、中央筒状部材の上端部をL型パイプの片方と螺合させ、これらを一体とする。【選択図】図５
0003158426.tif 000002
【実用新案登録請求の範囲】
【請求項１】
中央部に軸方向に流通孔部を穿設し、その流通孔の中央部は少し狭くし、上端部の外側と内側には螺子部を螺刻してなる中央筒状部材に、上端部より輪状のゴム又はシリコンゴム製のパッキンを挿入し、トラス頭型ボルトの柄の長い形状の棒状作用部材を流通孔に挿入し、その上から金属製スプリングを入れ、スリーブ状で流通孔を有し外部に螺子部を螺刻した雄螺子部材でスプリングを押さえ、中央筒状部材の下に棒状作用部材の柄の長い部分が出た所に、筒状で流通孔を有し、下部に網状の穴を設けた部材で蓋をした下部筒状部材をかぶせナイロンナットで固定し、中央筒状部材の上端部をL型パイプの片方と螺合させ、これらを一体となった事を特徴とする家畜用給水具ユニット。
【請求項２】
請求項１に記載の金属製スプリングの替わりにシリコン製のサイコロ型に成形し、各側面に溝を有した形状のクッションを入れた事を特徴とする家畜用給水具ユニット。
【請求項３】
請求項１に記載の家畜用給水具ユニットは、取付時にパイプの径が異なる場合は、スリーブ状のアタッチメントをL型パイプに付ける事ができる事を特徴とする家畜用給水具ユニット。
【考案の詳細な説明】
【技術分野】
【０００１】
本発明は、豚、牛、羊等の家畜に水を与えるのに好適な家畜用給水具及びそれを取り付け
た家畜用給水器に関するものである。
【背景技術】
【０００２】
豚、牛、羊等の家畜に水を与えるための給水具として、従来、図1や図2 に示すように、水の出る部分の調整を押しベラ式にして給水する物であった。長期間使用すると、図１図2  押しベラの支点(1)及び、図3 給水バルブの接点(2a)  が磨耗して故障の原因となった。
牛舎等では干草等が飲水カップに入り、その重みで押しベラカッブの押しベラ(3)を下げ、常に水が出っぱなしになる事故が発生している。
この事故を防ぐために、より一層押しベラのバネ図3(2b)を強くし、戻る力を多く備えなければならなかった。その為、仔牛等は力が無く自力で飲む事が出来ない。
また、押しベラ式の飲水カップでは、前から押すし時しか出水しないため、牛等が飼育室の策から首を出して飲む場合、横からしか押せないので上手く水を飲む事が出来なかった。
【先行技術文献】
【特許文献】
【０００３】
【特許文献１】特開２００４−３３７０６０
【考案の概要】
【考案が解決しようとする課題】
【０００４】
従来の押しベラ式図1 図2 図3の飲水器カップは、押しベラ部分(3)の支点稼動部(1)が磨耗して破損事故が多々発生した。また、押しベラにより出水口図3(5) の給水バルブの接点(2a)及びその可動部が磨耗して水漏れの原因となっていた。この押しベラ式飲水器の押しベラ部分のみを取り外し、本案の家畜用給水具ユニットを取付、機械部分の構造を無くし、家畜用給水具ユニットのみで水を供給する。また、牛舎の構造から、牛等は飲水時に、横から飲水する為、従来式の押しベラ式カップは、前方向から押さないと水が出ないため、仔牛が飲水出来ない難があった。
【課題を解決するための手段】
【０００５】
図3従来の押しベラ式の飲水器の押しベラ部分(3)を取り外し、給水バルブ(2)を取り外し図4出水口(5)に、図5の家畜用給水具ユニットを取付ける。
【考案の効果】
【０００６】
上記述の様に、押しベラ部分のみを取り替える事により、器具全取替えをしなくとも、その構造を押しベラ式から、家畜用給水具ユニット式に変える事ができる。
既設の押しベラ構造を簡単に取替える事により、本案の、家畜用給水具ユニットによって、力の無い幼牛家畜でも問題なく飲水できる。
給水器本体下部が、振り子の様に軽く、360度、如何なる方向から触れても出水するので、小家畜が飲水できる構造である。特に幼家畜が楽に飲水できる。
【図面の簡単な説明】
【０００７】
【図１】従来の押しベラ式飲水器の傾斜図
【図２】従来の押しベラ式飲水器の傾斜図その2
【図３】従来の押しベラ式飲水器の給水部の断面を示した図
【図４】従来の押しベラ式飲水器の押しベラを取り除いた図
【図５】本考案の家畜用給水具ユニット傾斜図
【図６】本考案の給水器の断面図及び部分拡大図
【図７】本考案の家畜用給水具ユニットを取付けた傾斜図
【図８】本考案の給水器の金属スプリングの換わりにシリコンゴム等を設した傾斜図
【図９】従来の押しベラ式飲水器の給水部を取外し、ジョイントパイプを設けた図
【図１０】本考案の家畜用給水具ユニットを飲水カップに付け、家畜が飲水している図
【図１１】従来の押しベラ式飲水器の給水部を取外し、スリーブ状で外側に螺子部を有するアタッチメント介して取り付ける所を示した図
【図１２】従来の押しベラ式飲水器の給水部を取外し、スリーブ状で外側に螺子部の無いアタッチメント介して取り付ける所を示した図
【考案を実施するための形態】
【０００８】
以下、本発明の家畜用給水具ユニットの好適な実施形態について、図面を参照して詳細に説明する。
【０００９】
本発明の給水器  図5 に示すように、中央筒状部材(20) 、棒状作用部材(60) 、下部筒状部材(30) 、雄螺子部材(40)、L型パイプ(70) から構成される。
【００１０】
中央筒状部材(20)は、中央部に軸方向に流通孔部を穿設し、その流通孔の中央部は少し狭くなっている(20a)、上端部の外側(20b)と内側(20c)には螺子部を螺刻する。
中央筒状部材(20)の流通孔内にパッキン(61)を挿入し、棒状作用部材(60)を流通孔入れ、(20a)を貫通して下部に出す。棒状作用部材(60)の上にスプリング(50)を入れ、雄螺子部材(40)でスプリングを押さえ、中央筒状部材(20)上部と螺合する。
中央筒状部材の下に棒状作用部材の柄の長い部分が出た所に、筒状で流通孔を有し、下部に網状の穴を設けた部材(31)で塞ぎ接合した下部筒状部材(30)をかぶせナイロンナット(62)で固定。
この給水器の上部(20b)とL型パイプ図5(70)と螺合する。
この家畜用給水具ユニットを押しベラ式飲水器カップ図4の出水口(5)に取り付ける。
【００１１】
又、本発明の家畜用給水具ユニット図6 は、棒状作用部材(60)、下部筒状部材(30)が一体となった箇所を、牛等の家畜が鼻、口等によって前後左右方向に押圧すれば、棒状作用部材(60)及びパッキン(61)が傾き、パッキン(61)から全部又は一部離反して水が流れる。
家畜が飲水を止めると、スプリング(50)の力と水の圧力により棒状作用部材(60)が直状に戻り出水が止まる。
図4では、押しベラ式飲水器具の押しベラを取り外し、出水口が露出した状態。
図7では、図4で露出した出水口に家畜用給水具ユニットを取り付けた状態を示す。
図9では、押しベラ式飲水器具の押しベラを取り外し、出水口に螺刻が無い場合は、家畜用給水具ユニットを接続するためのジョイントパイプ(91)を利用するする例。(92)は水漏れ防止のゴムパッキンである。
図8では、家畜用給水具ユニット内の金属スプリングの替わりに弾性の有るシリコン又はゴム製のクッション(51)を入れた状態を示す分解図
図11では、押しベラ式飲水器具の押しベラを取り外し、出水口の径が異なる場合、外側に螺子部のあるアタッチメント(93)を介し、家畜用給水具ユニットを取り付けする。
図12では、押しベラ式飲水器具の押しベラを取り外し、出水口の径が異なり、螺子部が無い場合、外側に螺子部の無いアタッチメント(94)を介し、家畜用給水具ユニットを取り付けする。アタッチメント(94)は、押さえ金具(95)で固定する。
【００１２】
本発明が過去のものと異なる点は、特開２００４−３３７０６０と比較した場合、本発明は、下部筒状部材(30)の内側を水が流れる構造が特徴である。
また、家畜用給水具ユニットを取り付け時に、出水口(5)の径が異なる場合、アタッチメントを介して取り付ける事ができる構造が特徴である。
【実施例】
【００１３】
以下添付図面に従って説明する。
図6  中央筒状部材(20)の中央部に軸方向に流通孔部を穿設し、その流通孔の中央部は少し狭くなっている(20a)、上端部の外側(20b)と内側(20c)には螺子部を螺刻する。
中央筒状部材(20)の流通孔内にパッキン(61)を挿入し、棒状作用部材(60)を流通孔入れ、(20a)を貫通して下部に出す。棒状作用部材(60)の上にスプリング(50)を入れ、雄螺子部材(40)でスプリングを押さえ、中央筒状部材(20)上部と螺合する。
中央筒状部材の下に棒状作用部材の柄の長い部分が出た所に、筒状で流通孔を有し、下部に網状の穴を設けた部材(31)で塞ぎ接合した下部筒状部材(30)をかぶせナイロンナット(62)で固定。
この給水器の上部(20b)とL型パイプ図5(70)と螺合する。
【００１４】
従来型押しベラ飲水カップ図1の押しベラ部分(3)の支点(1)を外し、図3給水器(2)を外し、図4  出水口(5)に、図5  家畜用給水具ユニットを取り付ける。
【００１５】
図3は、従来の押しベラ式の給水器の給水部分を抜粋した断面を示したものである。
【００１６】
図7  下部筒状部材(30)を牛等の家畜が鼻先、口でゆすると出水する。下部筒状部材(30)は前後左右360゜自由に可動する状態に、ナイロンナット(62)で固定する。
【００１７】
図10  牛等の家畜が牛舎の牢から首を出し、鼻先で下部筒状部材(30)をゆすり、出てきた水を飲んでいる予想図。
【符号の説明】
【００１８】
１  押しベラ支点
２  給水バルブの接点
３  押しベラ
４  スプリング
５  出水口
６  上水管取付け口
６ａ 上水管
２０  中央筒状部材
３０  下部筒状部材
４０  雄螺子部材
５０  スプリング
５１  シリコンゴムクッション
６０  棒状作用部材
６１  水止めパッキン
６２  ナイロンナット
７０   L型パイプ
９１  ジョイントパイプ
９２  ジョイントパッキン
９３  外側に螺子部のあるアタッチメント
９４  外側に螺子部の無いアタッチメント
９５  押さえ金具
【図１】
0003158426.tif 000003
【図２】
0003158426.tif 000004
【図３】
0003158426.tif 000005
【図４】
0003158426.tif 000006
【図５】
0003158426.tif 000007
【図６】
0003158426.tif 000008
【図７】
0003158426.tif 000009
【図８】
0003158426.tif 000010
【図９】
0003158426.tif 000011
【図１０】
0003158426.tif 000012
【図１１】
0003158426.tif 000013
【図１２】
0003158426.tif 000014
【手続補正書】
【提出日】平成22年1月28日(2010.1.28)
【手続補正１】
【補正対象書類名】実用新案登録請求の範囲
【補正対象項目名】全文
【補正方法】変更
【補正の内容】
【実用新案登録請求の範囲】
【請求項１】
中央部に軸方向に流通孔部を穿設し、その流通孔の中央部は少し狭くし、上端部の外側と内側には螺子部を螺刻してなる中央筒状部材に、上端部より輪状のゴム又はシリコンゴム製のパッキンを挿入し、トラス頭型ボルトの柄の長い形状の棒状作用部材を流通孔に挿入し、その上から金属製スプリングを入れ、スリーブ状で流通孔を有し外部に螺子部を螺刻した雄螺子部材でスプリングを押さえ、中央筒状部材の下に棒状作用部材の柄の長い部分が出た所に、筒状で流通孔を有し、下部に網状の穴を設けた部材で蓋をした下部筒状部材をかぶせナイロンナットで固定し、中央筒状部材の上端部をL型パイプの片方と螺合させ、これらを一体となった事を特徴とする家畜用給水具ユニット。
【請求項２】
前記金属製スプリングの替わりにシリコン製のサイコロ型に成形し、各側面に溝を有した形状のクッションを入れた事を特徴とする請求項１に記載の家畜用給水具ユニット。
【請求項３】
前記家畜用給水具ユニットは、取付時にパイプの径が異なる場合は、スリーブ状のアタッチメントをL型パイプに付ける事ができる事を特徴とする請求項１に記載の家畜用給水具ユニット。